(57)【要約】【課題】  リモコン受光素子など撮影動作を行っているときに使用される可能性の高い電気部品を２つのマイクの間に配置する場合には、ノイズがのった音声信号が記録されてしまう。【解決手段】  マイクと、前記マイクに接続されるマイクワイヤーと、リモコン受光素子と前記マイクワイヤーが接続されるコネクタおよび前記リモコン受光素子が実装される配線基板と、金属材料で形成され前記マイクを保持する保持部材とを有し、前記配線基板を前記保持部材の一方面側に配置するとともに、前記マイクワイヤーを前記保持部材の他方面側に配置する。【選択図】  図７
2013132033.tif 000002
【特許請求の範囲】
【請求項１】
マイクと、
前記マイクに接続されるマイクワイヤーと、
リモコン受光素子と
前記マイクワイヤーが接続されるコネクタおよび前記リモコン受光素子が実装される配線基板と、
金属材料で形成され前記マイクを保持する保持部材とを有し、
前記配線基板を前記保持部材の一方面側に配置するとともに、前記マイクワイヤーを前記保持部材の他方面側に配置することを特徴とする撮像装置。
【請求項２】
前記撮像装置は、バリアと前記バリアを駆動する駆動源とを備えるバリアユニットをさらに有し、
前記配線基板には、前記コネクタに接続される第１の配線パターンと、前記リモコン受光素子に接続される第２の配線パターンと、前記駆動源に接続される第３の配線パターンが形成され、
前記第３の配線パターンは、前記第１の配線パターンと前記第２の配線パターンとの間に形成されることを特徴とする請求項１に記載の撮像装置。
【請求項３】
前記バリアユニットは、前記バリアの位置を検出する検出部を備え、
前記配線基板には、前記第２の配線パターンと前記第３の配線パターンとの間に、前記検出部に接続される第４の配線パターンが形成されることを特徴とする請求項２に記載の撮像装置。
【請求項４】
前記コネクタは、前記配線基板の前記バリアユニットに固定される固定部に実装され、
前記リモコン受光素子は、前記固定部の前記コネクタが実装される位置とは反対側に延出形成される領域に実装されることを特徴とする請求項２または３に記載の撮像装置。
【発明の詳細な説明】
【技術分野】
【０００１】
本発明は撮像装置に関し、特にリモコン受光素子がマイクに近接して配置される撮像装置に関する。
【背景技術】
【０００２】
従来、ステレオマイクを搭載した撮像装置において、２つのマイク間はある一定の距離を取ることにより、マイクの性能を向上させることができることが知られている。
【０００３】
また、２つのマイクの間に外部接続端子を配置することによりデッドスペースをなくし撮像装置を小型化することが知られている。（特許文献１参照）
【先行技術文献】
【特許文献】
【０００４】
【特許文献１】特開２００６−３５２７６０号公報
【発明の概要】
【発明が解決しようとする課題】
【０００５】
しかしながら、２つのマイクの間に電気部品を配置すると、電気部品に流れる信号がノイズとしてマイクからの出力信号に進入する可能性がある。特にリモコン受光素子など撮影動作を行っているときに使用される可能性の高い電気部品を２つのマイクの間に配置する場合には、ノイズがのった音声信号が記録されてしまう。
【０００６】
本発明はこのような課題に鑑みて、リモコン受光素子をマイクに近接して配置したとしても、リモコン受光素子に流れる電気信号がマイクの信号線に進入しにくい撮像装置を提供することを目的とする。
【課題を解決するための手段】
【０００７】
本発明の撮像装置は、マイクと、前記マイクに接続されるマイクワイヤーと、リモコン受光素子と前記マイクワイヤーが接続されるコネクタおよび前記リモコン受光素子が実装される配線基板と、金属材料で形成され前記マイクを保持する保持部材とを有し、前記配線基板を前記保持部材の一方面側に配置するとともに、前記マイクワイヤーを前記保持部材の他方面側に配置することを特徴とする。
【発明の効果】
【０００８】
本発明によれば、リモコン受光素子をマイクに近接して配置したとしても、リモコン受光素子に流れる電気信号がマイクの信号線に進入しにくくなる。
【図面の簡単な説明】
【０００９】
【図１】本発明を実施した撮像装置の一例であるビデオカメラ１００の外観図である。
【図２】ビデオカメラ１００からサイドカバー１０およびアンダーカバー２０を取り外した状態を示す図である。
【図３】ビデオカメラ１００のフロントカバーユニット３０５を正面から見た図である。
【図４】フロントカバーユニット３０５を斜め後方から見た図である。
【図５】フレキシブル配線基板４０１を展開した状態を示す図である。
【図６】フロントカバーユニット３０５からフロントカバー３０４を取り除いた状態を示す図である。
【図７】図６の状態におけるマイク保持部材９００を斜め下方から見た図である。
【図８】図７の状態からマイクユニット３０１を取り外した状態を示す図である。
【図９】図８の状態からマイクユニット３０１およびマイク保持部材９００を取り外した状態を示す図である。
【図１０】図７に示す状態を別の角度から見た図である。
【図１１】図８に示す状態を別の角度から見た図である。
【図１２】図９に示す状態を別の角度から見た図である。
【図１３】マイク保持部材９００を説明する図である。
【発明を実施するための形態】
【００１０】
図１は、本発明を実施した撮像装置の一例であるビデオカメラ１００の外観図である。図２は、図１に示すビデオカメラ１００からサイドカバー１０およびアンダーカバー２０を取り外した状態を示す図である。図２に図示するように、フロントカバーユニット３０５はフレキシブル配線基板４０１を備えており、フレキシブル配線基板４０１はメイン基板６０１の接続コネクタ６０２に接続される。
【００１１】
図３は、ビデオカメラ１００のフロントカバーユニット３０５を正面から見た図である。図４は、フロントカバーユニット３０５を斜め後方から見た図である。フロントカバーユニット３０５は、フロントカバー３０４、バリアユニット８０１、マイクユニット３０１、フレキシブル配線基板４０１、マイク保持部材９００を備えている。
【００１２】
バリアユニット８０１は、バリア３０３、バリア３０３を駆動する駆動源としてのモータ４０３、バリア３０３の開閉状態を検出する検出部としてのフォトインタラプタ４０４を備えている。
【００１３】
マイクユニット３０１はマイク７０１、マイク７０１を覆うマイクブッシュ７０２、マイク７０１に接続されるマイクワイヤー７０３、マイクワイヤー７０３の先端に取り付けられるマイクコネクタ７０４を備えている。
【００１４】
フレキシブル配線基板４０１には、リモコン受光素子３０２、モータ４０３、フォトインタラプタ４０４およびマイクコネクタ７０４と接続されるコネクタ４０２が実装されている。
【００１５】
フロントカバー３０４には、マイク７０１の表面を覆う２つのマイクカバー部３０４ａと、２つのマイクカバー３０４ａの間に位置するリモコン受光窓３０４ｂが形成される。
【００１６】
図５は、フレキシブル配線基板４０１を展開した状態を示す図である。
【００１７】
フレキシブル配線基板４０１には、バリアユニット８０１に固定される固定部４０１ａが形成される。固定部４０１ａには、マイクコネクタ７０４に接続されるコネクタ４０２が実装される。リモコン受光素子３０２は、固定部４０１ａのコネクタ４０２が実装される位置とは反対側に延出形成される領域４０１ｂに実装される。フォトインタラプタ４０４は、固定部４０１ａのコネクタ４０２が実装される位置とは反対側に延出形成される領域４０１ｃに実装される。また、フロントカバーユニット３０５の金属部分およびマイク保持部材９００と電気的に接続されるグランド接続部４０１ｄも、固定部４０１ａのコネクタ４０２が実装される位置とは反対側に延出形成される。モータ４０３は、固定部４０１ａのコネクタ４０２が実装される位置とは同じ側に延出形成される領域４０１ｅに実装される。
【００１８】
図５に示すように、フレキシブル配線基板４０１には、メイン基板６０１の接続コネクタ６０２に接続される接続部４０１ｆが形成される。フレキシブル配線基板４０１には、コネクタ４０２と接続部４０１ｆとを結ぶ第１の配線パターン４０１ｇが形成される。フレキシブル配線基板４０１には、リモコン受光素子３０２と接続部４０１ｆとを結ぶ第２の配線パターン４０１ｈが形成される。フレキシブル配線基板４０１には、モータ４０３と接続部４０１ｆとを結ぶ第３の配線パターン４０１ｉが形成される。第３の配線パターン４０１ｉは、第１の配線パターン４０１ｇと第２の配線パターン４０１ｈとの間に形成される。
【００１９】
第３の配線パターン４０１ｉは、バリアユニット８０１を駆動するモータ４０３を駆動するための配線パターンであるので、ビデオカメラ１００が撮影動作中には、電気信号が流れることはない配線パターンとなる。したがって、第３の配線パターン４０１ｉは、ビデオカメラ１００が撮影動作を行っている際には、第１の配線パターン４０１ｇをノイズから守る配線パターンとして機能する。
【００２０】
フレキシブル配線基板４０１には、フォトインタラプタ４０４と接続部４０１ｆとを結ぶ第４の配線パターン４０１ｊが形成される。フレキシブル配線基板４０１には、グランド接続部４０１ｄと接続部４０１ｆとを結ぶ第５の配線パターン４０１ｋが形成される。第４の配線パターン４０１ｊおよび第５の配線パターン４０１ｋは、ともに第２の配線パターン４０１ｈと第３の配線パターン４０１ｉとの間に形成される。したがって、第１の配線パターン４０１ｇと第２の配線パターン４０１ｈとの間には、第３の配線パターン４０１ｉ、第４の配線パターン４０１ｊおよび第５の配線パターン４０１ｋが形成される。
【００２１】
フロントカバーユニット３０５は、以下の手順で組み立てられる。
【００２２】
マイクカバー部３０４ａの裏面側に、マイクブッシュ７０２に覆われたマイク７０１を配置し、マイク保持部材９００をフロントカバー３０４にビス止めする。これによって、マイクブッシュ７０２はフロントカバー３０４に向けて圧縮され、マイク７０１とマイクカバー部３０４ａの裏面との隙間はマイクブッシュ７０２で密閉される。
【００２３】
これとは別に、リモコン受光素子３０２、モータ４０３、フォトインタラプタ４０４およびコネクタ４０２が実装されるフレキシブル配線基板４０１をバリアユニット８０１にビス止めする。そして、リモコン受光素子３０２、モータ４０３、フォトインタラプタ４０４をそれぞれバリアユニット８０１に取り付ける。
【００２４】
マイクユニット３０１を取り付けたフロントカバー３０４と、フレキシブル配線基板４０１を取り付けたバリアユニット８０１とを一体化した後、フレキシブル配線基板４０１に実装されるコネクタ４０２とマイクコネクタ７０４とを接続する。そして、マイクワイヤー７０３をバリアユニット８０１に形成されたワイヤーフック部８０１ａにひっかけて固定する。
【００２５】
以上の手順でフロントカバーユニット３０５が完成する。
【００２６】
図６は、図３に示す状態からマイク保持部材９００をフロントカバー３０４に固定しているビスを取り外して、フロントカバー３０４を取り除いた状態を示している。図６に示すように、２つのマイク７０１の間に、フレキシブル配線基板４０１に実装されたリモコン受光素子３０２を配置している。
【００２７】
図７は、図６の状態におけるマイク保持部材９００を斜め下方から見た図である。図８は図７の状態からマイクユニット３０１を取り外した状態を示す図である。図９は図８の状態からマイクユニット３０１およびマイク保持部材９００を取り外した状態を示す図である。図１０は、図７に示す状態を別の角度から見た図である。図１１は、図８に示す状態を別の角度から見た図である。図１２は、図９に示す状態を別の角度から見た図である。
【００２８】
図７および図１０に示すように、マイクワイヤー７０３はマイク保持部材９００の外側に配線されている。一方、図８と図９との比較および図１１と図１２との比較から明らかなように、リモコン受光素子３０２が実装されるフレキシブル配線基板４０１の第２の配線パターン４０１ｈが形成される領域はマイク保持部材９００の内側に配置されている。すなわち、フレキシブル配線基板４０１をマイク保持部材９００一方面側に配置するとともに、マイクワイヤー７０３をマイク保持部材９００他方面側に配置することとなる。
【００２９】
さらに、マイクワイヤー７０３をはバリアユニット８０１に形成されたワイヤーフック部８０１ａにひっかけて固定される。これによって、組み立ての際に、マイクワイヤー７０３が暴れて、フレキシブル配線基板４０１の第２の配線パターン４０１ｈに近づいてしまうこともない。
【００３０】
図１３は、マイク保持部材９００を説明する図である。マイク保持部材９００には、突出部９００ａ、マイクプッシュ７０２を押圧する押圧部９００ｂが形成されている。上述したように、リモコン受光素子３０２が実装されるフレキシブル配線基板４０１は、マイク保持部材９００の内側の面９００ｃ側に配置される。マイクワイヤー７０３は、マイク保持部材９００の外側の面９００ｄに配置される。マイク保持部材９００は金属材料で形成されており、マイク保持部材９００には、突出部９００ａが形成されている。
【００３１】
図７、図８、図１０および図１１に示すように、突出部９００ａは、フレキシブル配線基板４０１の固定部４０１ａから領域４０１ｂの間となる領域を覆うとともに、リモコン受光素子３０２の表面よりも前方に突出した形状となっている。これによって、突出部９００ａは、リモコン受光素子３０２と接続部４０１ｆとを結ぶ第２の配線パターン４０１ｈをシールドするシールド板として機能する。また、突出部９００ａの先端がリモコン受光素子３０２の表面よりも前方に突出している。これによって、フレキシブル配線基板４０１からマイクワイヤー７０３までの沿面距離が長くなり、第２の配線パターン４０１ｈを流れる信号がマイクワイヤー７０３にノイズとして入ってしまうことがない。
【００３２】
以上、説明したように、本実施形態によれば、２つのマイク３０１の間に、リモコン受光素子３０２を配置したとしても、リモコン受光素子３０２に流れる電気信号がマイクワイヤー７０３に進入する可能性を低減させることができる。また、フレキシブル配線基板４０１上で第２の配線パターン４０１ｈを流れる電気信号と第１の配線パターン４０１ｇを流れる電気信号との間で干渉してしまうことも防止することができる。
【符号の説明】
【００３３】
３０１  マイクユニット
３０２  リモコン受光素子
３０５  フロントカバーユニット
４０１  フレキシブル配線基板
４０２  コネクタ
４０３  モータ
７０１  マイク
７０２  マイクブッシュ
７０３  マイクワイヤー
７０４  マイクコネクタ
９００  マイク保持部材
８０１  バリアユニット
【図１】
2013132033.tif 000003
【図２】
2013132033.tif 000004
【図３】
2013132033.tif 000005
【図４】
2013132033.tif 000006
【図５】
2013132033.tif 000007
【図６】
2013132033.tif 000008
【図７】
2013132033.tif 000009
【図８】
2013132033.tif 000010
【図９】
2013132033.tif 000011
【図１０】
2013132033.tif 000012
【図１１】
2013132033.tif 000013
【図１２】
2013132033.tif 000014
【図１３】
2013132033.tif 000015